(57)【要約】【課題】季節環境を判断し、その判断結果に基づき適切な送風方向を選択して送風機を駆動制御できる送風システムおよび送風方向制御方法を得ること。【解決手段】建家内居住空間の高所に配置され、該配置場所の季節環境を検知する第１の環境検知センサが設けられ、空気を送り出す風出力側を、指令に従い、前記建家の壁面に設けられる排気口へ向かう第１の送風方向と、床面に向かう第２の送風方向とに切り換えて向けることができる送風機と、前記建家内居住空間の低所に配置され、該配置場所の季節環境を検知する第２の環境検知センサが設けられ、前記第１の環境検知センサと前記第２の環境検知センサの各検知出力に基づき、前記第１の送風方向と前記第２の送風方向との何れかを指定する前記指令を出力するコントローラとを備えた。【選択図】        図１
2011038687.tif 000002
【特許請求の範囲】
【請求項１】
建家内居住空間の高所に配置され、該配置場所の季節環境を検知する第１の環境検知センサが設けられ、空気を送り出す風出力側を、指令に従い、前記建家の壁面に設けられる排気口へ向かう第１の送風方向と、床面に向かう第２の送風方向とに切り換えて向けることができる送風機と、
前記建家内居住空間の低所に配置され、該配置場所の季節環境を検知する第２の環境検知センサが設けられ、前記第１の環境検知センサと前記第２の環境検知センサの各検知出力に基づき、前記第１の送風方向と前記第２の送風方向との何れかを指定する前記指令を出力するコントローラと
を備えたことを特徴とする送風システム。
【請求項２】
前記第１および第２の環境検知センサは、それぞれ温度センサであり、
前記コントローラは、
前記第１および第２の環境検知センサの各検知温度に基づき、季節環境が夏季であるか冬季であるかを判断し、夏季であると判断した場合は前記送風機の前記風出力側を前記第１の送風方向に向けさせる前記指令を出力し、冬季であると判断した場合は前記送風機の前記風出力側を前記第２の送風方向に向けさせる前記指令を出力する
ことを特徴とする請求項１に記載の送風システム。
【請求項３】
前記コントローラは、前記送風機の前記風出力側を前記第１の送風方向に向けさせた場合において各検知温度の温度差が所定値よりも大きい場合に、前記各検知温度の温度差が該所定値よりも小さくなるまでの間、前記送風機に送風動作を行わせることを特徴とする請求項２に記載の送風システム。
【請求項４】
前記コントローラは、前記送風機の前記風出力側を前記第２の送風方向に向けさせた場合において前記第１の環境検知センサの検知温度が所定温度よりも高く、かつ各検知温度の温度差が第１の所定値よりも大きい場合に、前記各検知温度の温度差が前記第１の所定値よりも小さい第２の所定値以下になるまでの間、前記送風機に送風動作を行わせることを特徴とする請求項２に記載の送風システム。
【請求項５】
前記第１および第２の環境検知センサは、それぞれ、温度センサと湿度センサとで構成され、
前記コントローラは、
前記第１の環境検知センサと前記第２の環境検知センサの各検知出力を用いて双方の配置場所環境の不快指数をそれぞれ算出し、前記送風機側の不快指数が自コントローラ側の不快指数よりも高い場合もしくは等しい場合は前記送風機の前記風出力側を前記第１の送風方向に向けさせる前記指令を出力して送風動作を開始させ、自コントローラ側の不快指数が前記送風機側の不快指数よりも高い場合は前記送風機の前記風出力側を前記第２の送風方向に向けさせる前記指令を出力して送風動作を開始させる
ことを特徴とする請求項１に記載の送風システム。
【発明の詳細な説明】
【技術分野】
【０００１】
本発明は、居住空間で用いる送風機の送風方向を制御する送風システムに関するものである。
【背景技術】
【０００２】
一般に、建家内の居住空間における温度分布は、冷房や暖房が行われていても、天井面付近が高く床面付近が低い分布をしており、夏季や冬季などでは天井面付近と床面付近との温度差は大きくなりがちである。そのことが居住環境や作業環境を悪くする要因の一つになっている。
【０００３】
そのため、従来から、建家内居住空間の天井面付近と床面付近との温度差を小さくして居住環境や作業環境を改善するため、天井側に配置される送風機を、天井面付近と床面付近との温度差に基づき、天井面付近の空気を排気口から外部へ排出する排熱機器として使用する場合と、天井面付近の空気を床面側に向けて送風し空気を循環させ温度分布の均一化を図るサーキュレーション機器として使用する場合とに切り換える技術が種々提案されている（例えば、特許文献１，２等）。
【先行技術文献】
【特許文献】
【０００４】
【特許文献１】実開平０５−０３６２２３号公報
【特許文献２】特開昭５９−０８１４３４号公報
【発明の概要】
【発明が解決しようとする課題】
【０００５】
しかし、従来提案されている送風方向制御は、人手により切り換えて設定した夏季用、冬季用の送風方向に従って行うものであり、送風方向の切り換えを失念して送風機を駆動してしまうことが起こり、送風機が有する排熱機器、サーキュレーション機器としての機能を充分に発揮できず、建家内居住空間の居住環境や作業環境を所望の状態に制御できない場合が起こる。
【０００６】
本発明は、上記に鑑みてなされたものであり、季節環境を判断し、その判断結果に基づき適切な送風方向を選択して送風機を駆動制御できる送風システムを得ることを目的とする。
【課題を解決するための手段】
【０００７】
上述した目的を達成するために、本発明にかかる送風システムは、建家内居住空間の高所に配置され、該配置場所の季節環境を検知する第１の環境検知センサが設けられ、空気を送り出す風出力側を、指令に従い、前記建家の壁面に設けられる排気口へ向かう第１の送風方向と、床面に向かう第２の送風方向とに切り換えて向けることができる送風機と、前記建家内居住空間の低所に配置され、該配置場所の季節環境を検知する第２の環境検知センサが設けられ、前記第１の環境検知センサと前記第２の環境検知センサの各検知出力に基づき、前記第１の送風方向と前記第２の送風方向との何れかを指定する前記指令を出力するコントローラとを備えたことを特徴とする。
【発明の効果】
【０００８】
本発明によれば、季節環境を判断し、その判断結果に基づき適切な送風方向を選択して送風機を駆動制御できる送風システムが得られる。したがって、従来の手動切換では失念することがあった送風方向の切換忘れを防止することができ、送風機の機能を充分に発揮させることができるという効果を奏する。
【図面の簡単な説明】
【０００９】
【図１】図１は、本発明の実施の形態１による送風システムの配置態様等を説明する側面図である。
【図２】図２は、図１に示す送風機とコントローラの要部構成（その１）を示す外観図である。
【図３】図３は、送風運転開始指示の入力時の環境温度から送風方向を判定する手順を説明するフローチャートである。
【図４】図４は、夏季と判定したときに実施する送風運転制御手順を説明するフローチャートである。
【図５】図５は、夏季での送風運転制御時での温度変化の一例を示す図である。
【図６】図６は、冬季と判定したときに実施する送風運転制御手順を説明するフローチャートである。
【図７】図７は、冬季での送風運転制御時での温度変化の一例を示す図である。
【図８】図８は、本発明の実施の形態２として、図１に示す送風機とコントローラの要部構成（その２）を示す外観図である。
【図９】図９は、不快指数を下げる送風方向制御手順を説明するフローチャートである。
【発明を実施するための形態】
【００１０】
以下に、本発明にかかる送風システムの実施の形態を図面に基づいて詳細に説明する。なお、この実施の形態によりこの発明が限定されるものではない。
【００１１】
実施の形態１．
図１と図２を参照して、本発明の実施の形態１による送風システムの構成について説明する。なお、図１は、本発明の実施の形態１による送風システムの配置態様等を説明する側面図である。図２は、図１に示す送風機とコントローラの要部構成（その１）を示す外観図である。
【００１２】
図１において、本実施の形態１による送風システムは、送風機１とコントローラ２ａとで構成される。送風機１は、建家内の居住空間３の高所（図示例では天井面４）に吊り下がる形で配置されている。コントローラ２ａは、居住空間３の低所（図示例では或る壁面の床面５に近い所定高さ位置、例えば床面５から約１．２ｍ付近の位置）に取り付けられている。また、居住空間３の壁面（図示例ではコントローラ２ａが取り付けられている壁面と対面する壁面）の高所には、排気口６が設けられている。
【００１３】
具体的には、送風機１は、例えば図２に示すように、直方体形状をした送風機本体１０ａの長手方向両端をフレーム１１に回動可能に支持させた構成をしている。送風機１は、そのフレーム１１が天井面４に固定されることで、送風機本体１０ａが天井面４に吊り下がる形で取り付けられている。図２に示すように、送風機本体１０ａの風吹出側面１２には、長手方向に沿った長方形の形状をした幾つかの風吹出口１３が設けられている。この構成により、送風機１は、つまり送風機本体１０ａは、コントローラ２ａからの指令に従い、風吹出側面１２を、排気口６へ向かう第１の送風方向８と、床面５に向かう第２の送風方向９とに切り換えて向けることができる。図示例では、排気口６の配置高さ位置が一致することから第１の送風方向８は水平方向である。第２の送風方向９は垂直下方の床面５側方向（垂直方向）であるとしている。
【００１４】
図２において、送風機本体１０ａの風吹出側面１２には、風吹出口１３の他に、第１の環境検知センサである温度センサ１４が設けられている。また、コントローラ２ａの操作パネルには、人の手操作により送風機１の起動・停止の入力と風量の設定とを行うためのダイアル２０の他に、第２の環境検知センサである温度センサ２１が設けられている。
【００１５】
次に、図３〜図７を参照して、本実施の形態１による送風方向制御について説明する。なお、図３は、送風運転開始指示の入力時の環境温度から送風方向を判定する手順を説明するフローチャートである。図４は、夏季と判定したときに実施する送風運転制御手順を説明するフローチャートである。図５は、夏季の送風運転制御時での温度変化の一例を示す図である。図６は、冬季と判定したときに実施する送風運転制御手順を説明するフローチャートである。図７は、冬季の送風運転制御時での温度変化の一例を示す図である。
【００１６】
図３において、コントローラ２ａは、ダイアル２０から送風運転開始指示の入力があると（ＳＴ１：Ｙｅｓ）、送風機本体１０ａに送風運転開始指示を出力せずに、温度センサ１４が検知した送風機本体１０ａ付近の検知温度（天井面４付近の環境温度）Ｔｂと、温度センサ２１が検知した自コントローラ２ａ付近の検知温度（床面５付近の環境温度）Ｔｃとをそれぞれ取得し（ＳＴ２，ＳＴ３）、検知温度Ｔｂ，Ｔｃに基づき、夏季での送風方向判定処理（ＳＴ４〜ＳＴ６）と、冬季での送風方向判定処理（ＳＴ７〜ＳＴ９）とを行う。
【００１７】
ここで、冷房運転が行われる夏季では、外気温度が高いので、冷房運転開始前では、天井面４付近の環境温度は空気が外気で暖められて高い状態にあり、床面５付近の環境温度も高い状態にあると考えられる。図３では、天井面４付近の検知温度Ｔｂから排熱送風運転を行う必要のある夏季と判定する温度を、例えばＴｂ≧２８℃としている（ＳＴ４）。また、床面５付近の検知温度Ｔｃから排熱送風運転を行う必要のある夏季と判定する温度を、例えばＴｃ≧２５℃としている（ＳＴ６）。
【００１８】
すなわち、コントローラ２ａは、天井面４付近の検知温度ＴｂがＴｂ≧２８℃である（ＳＴ４：Ｙｅｓ）場合、或いは、天井面４付近の検知温度ＴｂはＴｂ＜２８℃である（ＳＴ４：Ｎｏ）が、床面５付近の検知温度ＴｃがＴｃ≧２５℃である（ＳＴ５：Ｙｅｓ）場合に、排熱送風運転が必要である判定し、送風機本体１０ａに風吹出側面１２を第１の送風方向（水平方向）８に向けさせる指示を出力して（ＳＴ６）本手順を終了し、夏季送風運転制御（図４）へ移行する。居住空間３では、冷房運転が開始されているとしている。
【００１９】
また、暖房運転が行われる冬季では、外気温度が低いので、暖房運転開始前では、天井面４付近の環境温度も床面５付近の環境温度も低い状態にあると考えられる。図３では、天井面４付近の検知温度Ｔｂからサーキュレーション送風運転を行う必要のある冬季と判定する温度を、例えばＴｂ＜１５℃としている（ＳＴ７）。または、床面５付近の検知温度Ｔｃからサーキュレーション送風運転を行う必要のある冬季と判定する温度を、例えばＴｃ＜１５℃としている（ＳＴ８）。
【００２０】
すなわち、コントローラ２ａは、天井面４付近の検知温度Ｔｂが、Ｔｂ＜１５℃である（ＳＴ７：Ｙｅｓ）場合、或いは、天井面４付近の検知温度Ｔｂは２５℃＞Ｔｂ＞１５℃である（ＳＴ７：Ｎｏ）が、床面５付近の検知温度Ｔｃが、Ｔｃ＜１５℃である（ＳＴ８：Ｙｅｓ）場合に、サーキュレーション送風運転が必要であると判定し、送風機本体１０ａに風吹出側面１２を第２の送風方向（垂直方向）９に向けさせる指示を出力して（ＳＴ９）本手順を終了し、冬季送風運転制御（図６）へ移行する。居住空間３では、暖房運転が開始されているとしている。
【００２１】
次に、図４を参照して、コントローラ２ａが行う夏季送風運転制御について説明する。図４において、コントローラ２ａは、温度センサ１４が検知した送風機本体１０ａ付近の検知温度（天井面４付近の環境温度）Ｔｂと、温度センサ２１が検知した自コントローラ２ａ付近の検知温度（床面５付近の環境温度）Ｔｃとをそれぞれ取得し（ＳＴ１１，ＳＴ１２）、取得した検知温度Ｔｂ，Ｔｃの温度差ΔＴを算出し（ＳＴ１３）、算出した温度差ΔＴが所定温度（例えば８℃）よりも大きいか否かを調べる（ＳＴ１４）。
【００２２】
今の例では、算出した温度差ΔＴはΔＴ≧８℃であり（ＳＴ１４：Ｙｅｓ）、送風中ではないので（ＳＴ１５：Ｎｏ）、コントローラ２ａは、送風機本体１０ａを起動して第１の送風方向（水平方向）への送風を開始させ（ＳＴ１６）、ＳＴ１１に戻る。これによって、高い外気温度により暖められた天井面４付近の空気を排気口６へ向けて送り出す排熱送風が開始される。
【００２３】
そして、排熱送風運転開始（ＳＴ１６）後のＳＴ１１〜ＳＴ１３を経たＳＴ１４において、算出した温度差ΔＴが、依然としてΔＴ≧８℃である場合（ＳＴ１４：Ｙｅｓ）は、今度は送風中である（ＳＴ１５：Ｙｅｓ）ので、コントローラ２ａは、排熱送風を継続（ＳＴ１７）してＳＴ１１に戻る。つまり、コントローラ２ａは、算出した温度差ΔＴがΔＴ≧８℃である場合（ＳＴ１４：Ｙｅｓ）は、送風機本体１０ａに送風動作を継続させ（ＳＴ１７）、ＳＴ１１に戻る。
【００２４】
これによって、天井面４付近の暖かい空気が排出口６から外部へ排出され続け、天井面４付近の環境温度が下降する。また、床面５付近の環境温度は冷房により下降していく。その結果、ＳＴ１３において算出した温度差ΔＴが小さくなり、ΔＴ＜８℃になると（ＳＴ１４：Ｎｏ）、コントローラ２ａは、居住空間３内の温度分布が均一化されたと判断して送風機本体１０ａの送風動作を停止させ（ＳＴ１８）、本手順を終了する。
【００２５】
次に、図５では、図３に示した手順で夏季送風運転制御を判定する期間２５での検知温度Ｔｂ，Ｔｃの変化と、図４に示した手順での第１の送風方向（水平方向）への送風運転制御を行っている期間２６での検知温度Ｔｂ，Ｔｃの変化とが示されている。
【００２６】
このように、夏季送風運転制御においては、算出した温度差ΔＴが所定温度（今の例では８℃）よりも大きい場合は、天井面４付近の暖かい空気を排気口６へ送り出す排熱送風を行って天井面４付近の温度降下を早めるので、冷房負荷の軽減が可能になる。そして、算出した温度差ΔＴが所定温度よりも小さくなった場合は、冷房により居住空間３内の環境温度が均一化されたものとして、排熱送風を停止するので、冷気を無駄に排出することのない送風制御が可能になる。
【００２７】
次に、図６を参照して、コントローラ２ａが行う冬季送風運転制御について説明する。図３にて説明したように、冬季送風運転制御へ移行する環境温度は、温度センサ１４が検知した送風機本体１０ａ付近の検知温度（天井面４付近の環境温度）Ｔｂと、温度センサ２１が検知した自コントローラ２ａ付近の検知温度（床面５付近の環境温度）Ｔｃとが共に１５℃以下の場合である。この環境温度において直ちに送風機本体１０ａから第２の送風方向（垂直方向）へのサーキュレーション送風を開始させると、天井面４付近の冷気を床面５側に吹き下ろすことになり居住空間３内に居る人に冷風感を与えてしまう。また、検知温度Ｔｂと検知温度Ｔｃとの温度差が殆ど無い場合だとサーキュレーション効果が得られず、無駄な送風運転になる。
【００２８】
そこで、図６において、コントローラ２ａは、天井面４付近の検知温度Ｔｂと、床面５付近の検知温度Ｔｃとをそれぞれ取得し（ＳＴ２１，ＳＴ２２）、取得した検知温度Ｔｂ，Ｔｃの温度差ΔＴ（ΔＴ＝Ｔｂ−Ｔｃ）を算出する（ＳＴ２３）。暖房が行われているので、天井面４付近の空気は暖房により暖められて１５℃から所定温度（例えば２０℃）に向かって上昇している。コントローラ２ａは、天井面４付近の検知温度Ｔｂが２０℃を超えているか否かを調べる（ＳＴ２４）。天井面４付近の検知温度Ｔｂが２０℃を超えていない場合（ＳＴ２４：Ｎｏ）は、前記した問題があるので、本手順を終了する。
【００２９】
また、天井面４付近の検知温度Ｔｂが２０℃を超えていても（ＳＴ２４：Ｙｅｓ）、算出した温度差ΔＴが所定温度（例えば５℃）を超えていない場合（ＳＴ２５：Ｎｏ）も、前記した問題があるので、本手順を終了する。
【００３０】
すなわち、コントローラ２ａは、天井面４付近の検知温度Ｔｂが暖房により暖められて例えば２０℃を超えており（ＳＴ２４：Ｙｅｓ）、かつ算出した温度差ΔＴが例えば５℃を超えている場合（ＳＴ２５：Ｙｅｓ）に、送風機本体１０ａを起動して第２の送風方向（垂直方向）への送風を開始する（ＳＴ２６）。これによって、暖房により暖められた天井面４付近の空気を床面５側に向けて送り出すサーキュレーション送風が開始される。
【００３１】
コントローラ２ａは、サーキュレーション送風を開始させると（ＳＴ２６）、ＳＴ２７にて、天井面４付近の検知温度Ｔｂと床面５付近の検知温度Ｔｃとをそれぞれ取得し、取得した検知温度Ｔｂ，Ｔｃの温度差ΔＴ（ΔＴ＝Ｔｂ−Ｔｃ）を算出する。そして、算出した温度差ΔＴが、ΔＴ＜２℃でない場合（ＳＴ２８：Ｎｏ）、サーキュレーション送風を継続し（ＳＴ２９）、ＳＴ２７に戻る。そのＳＴ２７〜ＳＴ２８〜ＳＴ２９〜ＳＴ２７の繰り返し過程で、算出した温度差ΔＴが、ΔＴ＜２℃となると（ＳＴ２８：Ｙｅｓ）、居住空間３内の温度分布が十分に均一化されサーキュレーション効果が得られたとして送風機本体１０ａに送風動作を停止させてサーキュレーション送風を停止し（ＳＴ３０）、本手順を終了する。
【００３２】
次に、図７では、図３に示した手順で冬季送風運転制御を判定する期間２７での検知温度Ｔｂ，Ｔｃの変化と、図６に示した手順での第２の送風方向（垂直方向）への送風運転制御を開始するまでの期間２８での検知温度Ｔｂ，Ｔｃの変化と、図６に示した手順での第２の送風方向（垂直方向）への送風運転制御を行っている期間２９での検知温度Ｔｂ，Ｔｃの変化とが示されている。
【００３３】
このように、冬季送風運転制御においては、暖房により暖められた空気が上昇し天井面４付近が必要以上に暖められることを防ぎ、居住空間３内の温度分布を効率よく均一にすることが可能になるので、暖房負荷を軽減することができる。
【００３４】
なお、図４と図６では、算出する温度差ΔＴを所定の固定値としたが、送風機１（つまり送風機本体１０ａ）の設置場所とコントローラ２ａの設置場所とは、居住空間３の形態によって区々としているので、設置場所に応じて可変するようにすれば、その設置場所に適切な送風方向制御が可能になる。
【００３５】
このように、本実施の形態１による送風システムは、送風機本体の最適な送風方向を自動的に設定できるので、従来の手動切換では失念することがあった送風方向の切換忘れを防止することができ、送風機の機能を充分に発揮させることができる。
【００３６】
そして、冷暖房機器の補助装置として用いることにより、冷暖房機器の負荷軽減が可能になるので、省エネ効果も期待できる。特に工場や倉庫など比較的天井の高い建物では、居住空間が非常に広く、冷暖房機器の負荷は相当に大きいので、本実施の形態１による送風システムを補助装置として用いれば、高い省エネ効果を発揮すると考えられる。
【００３７】
実施の形態２．
図８は、本発明の実施の形態２として、図１に示す送風機とコントローラの要部構成（その２）を示す外観図である。本実施の形態２では、不快指数を下げる送風方向制御について説明する。
【００３８】
図８において、本実施の形態２による送風システムでは、符号を変えたコントローラ２ｂに、第２の環境検知センサとしての湿度センサ３０が追加して設けられ、符号を変えた送風機本体１０ｂに、第１の環境検知センサとしての湿度センサ３１が追加して設けられている。その他の構成は、実施の形態１と同じである。
【００３９】
次に、図９を参照して、不快指数を下げる送風方向制御動作について説明する。なお、図９は、不快指数を下げる送風方向制御手順を説明するフローチャートである。
【００４０】
図９において、コントローラ２ｂは、ダイアル２０から送風運転開始指示の入力があると（ＳＴ４１：Ｙｅｓ）、送風機本体１０ｂに送風運転開始指示を出力せずに、温度センサ１４が検知した送風機本体１０ｂ付近の検知温度（天井面４付近の環境温度）Ｔｂ及び湿度センサ３１が検知した送風機本体１０ｂ付近の検知湿度（天井面４付近の環境湿度）Ｈｂを取得する（ＳＴ４２）。並行して、コントローラ２ｂは、温度センサ２１が検知した自コントローラ２ｂ付近の検知温度（床面５付近の環境温度）Ｔｃ及び湿度センサ３０が検知した自コントローラ２ｂ付近の湿度（床面５付近の環境湿度）Ｈｃを取得する（ＳＴ４３）。
【００４１】
ここで、不快指数ＤＩは、温度Ｔと相対湿度Ｕとを用いて、
ＤＩ＝０．８１Ｔ＋０．０１Ｕ（０．９９Ｔ−１４．３）＋４６．３    （１）
と表される（出典：理科年表  国立天文台編  平成8(1996)年  気74(264)頁）。
【００４２】
コントローラ２ｂは、この式（１）に、取得した環境温度Ｔｂ及び環境湿度Ｈｂを代入して天井面４付近の不快指数Ｆｂを算出し、また、取得した環境温度Ｔｃ及び環境湿度Ｈｃを代入して床面５付近の不快指数Ｆｃを算出し（ＳＴ４４）、両者の大小関係に基づき送風方向を制御する（ＳＴ４５〜ＳＴ５１）。
【００４３】
すなわち、Ｆｂ≧Ｆｃの場合（ＳＴ４５：Ｙｅｓ）は、コントローラ２ｂは、送風機本体１０ｂの風吹出側面１２を第１の送風方向（水平方向）８に向けさせて送風動作を開始させる。不快指数の高い天井面４付近の空気が排気口６から外部へ排出される。これによって、天井面４付近の不快指数が下がるので、居住空間３内の不快指数が効率よく改善される。
【００４４】
コントローラ２ｂは、第１の送風方向（水平方向）８への送風運転を開始すると（ＳＴ４６）、例えば、ダイアル２０から送風運転停止指示の入力があるまで（ＳＴ４７：Ｎｏ）、送風機本体１０ｂに送風動作を継続させ（ＳＴ４８）、送風運転停止指示の入力があると（ＳＴ４７：Ｙｅｓ）、送風機本体１０ｂに送風動作を停止させ（ＳＴ４９）、本手順を終了する。
【００４５】
天井面４付近の不快指数が高くなる夏季においては、以上の第１の送風方向（水平方向）８への送風運転制御を実施することにより、居住空間３内の不快指数を改善することができる。
【００４６】
また、Ｆｂ＜Ｆｃの場合（ＳＴ４５：Ｎｏ）は、コントローラ２ｂは、送風機本体１０ｂの風吹出側面１２を第２の送風方向（垂直方向）９に向けさせて送風を開始させる。不快指数の低い天井面４付近の空気が不快指数の高い床面５側に向けて送り込まれる。これによって、居住空間３内の不快指数が下がる方向で効率よく均一化される。
【００４７】
コントローラ２ｂは、第２の送風方向（垂直方向）９への送風運転を開始すると（ＳＴ５０）、例えば、ダイアル２０から送風運転停止指示の入力があるまで（ＳＴ５１：Ｎｏ）、送風機本体１０ｂに送風動作を継続させ（ＳＴ５２）、送風運転停止指示の入力があると（ＳＴ５１：Ｙｅｓ）、送風機本体１０ｂに送風動作を停止させ（ＳＴ４９）、本手順を終了する。
【００４８】
このように、本実施の形態２による送風システムによれば、天井面付近の不快指数とコントローラ付近（人が生活する、ないしは、作業する床面付近）の不快指数とに基づき、実施の形態１と同様の送風方向を定めて送風運転を行うので、居住空間内の不快指数を効率よく下げることができる。
【００４９】
本実施の形態２による送風システムも、工場や倉庫など比較的天井が高く、居住空間が相当に広い建物において、空調機器の補助装置として用いることにより、高い省エネ効果が期待できる。
【００５０】
実施の形態１による送風方向制御は、送風機本体とコントローラの各々に温度センサを追加するだけで実現できる制御であり、また、実施の形態２による不快指数を下げる送風方向制御は、送風機本体とコントローラの各々に更に湿度センサを追加するだけで実現できる制御であり、特別な装置を必要としないで比較的安価に構成することが可能である。
【産業上の利用可能性】
【００５１】
以上のように、本発明にかかる送風システムは、季節環境に応じて適切な送風方向制御を自動的に行える送風システムとして有用である。特に、工場や倉庫など比較的天井が高く、居住空間が相当に広い建物に設備される冷暖房機器や空調機器の補助装置として用いるのに適している。
【符号の説明】
【００５２】
１  送風機
２ａ，２ｂ  コントローラ
３  建家内の居住空間
４  天井面
５  床面
６  排気口
８  第１の送風方向（水平方向）
９  第２の送風方向（垂直方向）
１０ａ，１０ｂ  送風機本体
１１  フレーム
１２  風吹出側面
１３  風吹出口
１４  温度センサ（第１の環境検知センサ）
２０  ダイアル
２１  温度センサ（第２の環境検知センサ）
３０  湿度センサ（第２の環境検知センサ）
３１  湿度センサ（第１の環境検知センサ）
【図１】
2011038687.tif 000003
【図２】
2011038687.tif 000004
【図３】
2011038687.tif 000005
【図４】
2011038687.tif 000006
【図５】
2011038687.tif 000007
【図６】
2011038687.tif 000008
【図７】
2011038687.tif 000009
【図８】
2011038687.tif 000010
【図９】
2011038687.tif 000011